(57)【要約】【課題】  乳幼児の体重の計量をより正確に行うことができる体重計を提供する。【解決手段】  体集計１は、乳幼児が載せられる載せ台部１１と、載せ台部上の乳幼児の体重を計量する計量部２１と、計量による体重の計量値を表示する表示部３１，３２とを備えている。体重計１は、載せ台部１１が自動車を模した形状を有することを特徴としている。【選択図】図１
2008232777.tif 000002
【特許請求の範囲】
【請求項１】
乳幼児が載せられる載せ台部と、
前記載せ台部上の乳幼児の体重を計量する計量手段と、
前記計量による体重の計量値を表示する表示手段とを備え、
前記載せ台部は、乗り物を模した形状を有することを特徴とする体重計。
【請求項２】
前記計量手段の計量による計量値が所定値以上になってから、前記表示手段で体重が表示されるまでの期間を少なくとも含んだ所定期間内に、乳幼児の関心を引くような音声を再生して出力する音声再生出力手段をさらに備えたことを特徴とする請求項１に記載の体重計。
【請求項３】
前記表示手段は、
前記乗り物の前方内側に当たる、前記載せ台部の部分に設けられており、該載せ台部上の乳幼児に向けて体重の前記計量値を表示する乳幼児用表示手段を含むことを特徴とする請求項１又は請求項２に記載の体重計。
【請求項４】
前記計量手段の計量による計量値が所定値以上になってから、前記表示手段で体重が表示されるまでの期間を少なくとも含んだ所定期間内に、乳幼児の関心を引くような映像を再生して前記乳幼児用表示手段から出力する映像再生手段をさらに備えたことを特徴とする請求項３に記載の体重計。
【請求項５】
前記乳幼児用表示手段は、
車の速度計を模していて、該速度計で速度を表す目盛りを、体重を表す目盛りに見立てて用いるものであって、体重の該目盛りを用いて、前記計量手段の計量による体重の前記計量値を表示することを特徴とする請求項３又は請求項４に記載の体重計。
【請求項６】
前記載せ台部に載せられる計量対象が、乳児及び幼児のいずれであるかを示す対象データを入力するための計量対象入力手段と、
前記対象データに基づいて、前記乳幼児用表示手段にて用いられる前記目盛りを設定する目盛り設定手段とをさらに備えたことを特徴とする請求項５に記載の体重計。
【請求項７】
前記表示手段は、
前記乗り物の前方外側に当たる、前記載せ台部の部分に設けられており、乳幼児の体重の確認者に向けて体重の前記計量値を表示する確認者用表示手段を含むことを特徴とする請求項１乃至請求項６のいずれかに記載の体重計。
【請求項８】
乳幼児の体重の確認者が乳幼児の身長を入力するための身長入力手段と、
前記身長入力手段により乳幼児の成長過程で複数回に渡って入力された身長を身長データとして記憶するとともに、前記計量手段により乳幼児の成長過程で複数回に渡って計量された体重の計量値を体重データとして記憶する身体データ記憶手段と、
乳幼児の身長及び体重につき乳幼児の標準的な成長範囲を示す基準成長範囲データを記憶する基準成長範囲データ記憶手段と、
前記身体データ記憶手段により記憶されている前記身長データ及び前記体重データを、前記基準成長範囲データ記憶手段により記憶されている前記基準成長範囲データをグラフ化した発育曲線とともに前記確認者用表示手段に表示させるように制御する発育曲線表示制御手段とをさらに備えたことを特徴とする請求項７に記載の体重計。
【請求項９】
乳幼児個人を識別するための識別データが記憶された識別データ記憶手段と、
前記識別データ記憶手段が挿入される挿入口を有し、該挿入口に挿入される該識別データ記憶手段から前記識別データを読み取る識別データ読取手段とをさらに備えたことを特徴とする請求項１乃至請求項８のいずれかに記載の体重計。
【請求項１０】
前記識別データ記憶手段は、
車のエンジンキーを模した形状を有することを特徴とする請求項９に記載の体重計。
【請求項１１】
前記計量手段は、
乳幼児の体重の計量を所定回数行うとともに、該計量による所定回数分の計量値を平均することにより平均計量値を算出し、
前記表示手段は、
算出された前記平均計量値を、体重の計量値として表示するようになっていることを特徴とする請求項１乃至請求項１０のいずれかに記載の体重計。
【請求項１２】
請求項１乃至請求項１１のいずれかに記載の体重計における前記載せ台部を所定の移動空間内で移動させることを特徴とする、該体重計を含んだ子供用遊具。
【発明の詳細な説明】
【技術分野】
【０００１】
本発明は、乳幼児の体重を計量するための体重計に関する。
【背景技術】
【０００２】
従来から知られたこの種の体重計の一つは、計量皿を有していて、その計量皿に乳幼児を載せ入れるようになっている。この従来の体重計は、計量皿中の乳幼児の体重を計量するものである（特許文献１参照）。
【０００３】
【特許文献１】特開平１０−７３４７４号公報
【発明の開示】
【発明が解決しようとする課題】
【０００４】
しかしながら、乳幼児は、通常、その動きが激しいもので、さらに、母親の元から離れて体重計に載せられることを嫌がって暴れたりすることがあった。上述した従来の体重計を用いたとしても、計量皿におけるその乳幼児の動きにより計量値が乱れてしまい、正確な値を得ることが困難なことがあった。また、乳幼児が、計量皿の上に載せられてから、落ち着きその動きが静まるまでに時間がかかり、これにより計量値が安定するまでの時間（測定時間）が長くなっていた。
【０００５】
本発明は、上記課題を解決できる発明を提供することを目的とする。
【課題を解決するための手段】
【０００６】
請求項１に係る体重計は、乳幼児が載せられる載せ台部と、載せ台部上の乳幼児の体重を計量する計量手段と、この計量による体重の計量値を表示する表示手段とを備える。本体重計は、その載せ台部が、乗り物を模した形状を有することを特徴としている。
請求項２に係る体重計は、請求項１に係る体重計において、音声再生出力手段をさらに備えたことを特徴としている。この音声再生出力手段は、計量手段の計量による計量値が所定値以上になってから、表示手段で体重が表示されるまでの期間を少なくとも含んだ所定期間内に、乳幼児の関心を引くような音声を再生して出力する。
請求項３に係る体重計は、請求項１又は請求項２に係る体重計において、上記表示手段が乳幼児用表示手段を含むことを特徴とする。この乳幼児用表示手段は、乗り物の前方内側に当たる、載せ台部の部分に設けられており、載せ台部上の乳幼児に向けて体重の計量値を表示する。
請求項４に係る体重計は、請求項３に係る体重計において、映像再生手段をさらに備えたことを特徴とする。この映像再生手段は、計量手段の計量による計量値が所定値以上になってから、表示手段で体重が表示されるまでの期間を少なくとも含んだ所定期間内に、乳幼児の関心を引くような映像を再生して上記乳幼児用表示手段から出力する。
請求項５に係る体重計は、請求項３又は請求項４に係る体重計において、上記乳幼児用表示手段が、車の速度計を模していて、その速度計で速度を表す目盛りを、体重を表す目盛りに見立てて用いるものであって、この体重の目盛りを用いて、計量手段の計量による体重の計量値を表示することを特徴とする。
請求項６に係る体重計は、請求項５に係る体重計において、計量対象入力手段と、目盛り設定手段とをさらに備えたことを特徴とする。計量対象入力手段は、載せ台部に載せられる計量対象が、乳児及び幼児のいずれであるかを示す対象データを入力するためのものである。目盛り設定手段は、この対象データに基づいて、上記乳幼児用表示手段にて用いられる目盛りを設定する。
請求項７に係る体重計は、請求項１乃至請求項６のいずれかに係る体重計において、上記表示手段が確認者用表示手段を含むことを特徴とする。この確認者用表示手段は、乗り物の前方外側に当たる、載せ台部の部分に設けられており、乳幼児の体重の確認者に向けて体重の計量値を表示する。
請求項８に係る体重計は、請求項７に係る体重計において、身長入力手段と、身体データ記憶手段と、基準成長範囲データ記憶手段と、発育曲線表示制御手段とさらに備えたことを特徴とする。身長入力手段は、乳幼児の体重の確認者が乳幼児の身長を入力するためのものである。身体データ記憶手段は、この身長入力手段により乳幼児の成長過程で複数回に渡って入力された身長を身長データとして記憶するとともに、計量手段により乳幼児の成長過程で複数回に渡って計量された体重の計量値を体重データとして記憶する。基準成長範囲データ記憶手段は、乳幼児の身長及び体重につき乳幼児の標準的な成長範囲を示す基準成長範囲データを記憶する。発育曲線表示制御手段は、身体データ記憶手段により記憶されている身長データ及び体重データを、基準成長範囲データ記憶手段により記憶されている基準成長範囲データをグラフ化した発育曲線とともに確認者用表示手段に表示させるように制御する。
請求項９に係る体重計は、請求項１乃至請求項８のいずれかに係る体重計において、識別データ記憶手段と、識別データ読取手段とをさらに備えたことを特徴とする。識別データ記憶手段には、乳幼児個人を識別するための識別データが記憶されている。識別データ読取手段は、識別データ記憶手段が挿入される挿入口を有し、この挿入口に挿入される識別データ記憶手段から識別データを読み取る。
請求項１０に係る体重計は、請求項９に係る体重計において、識別データ記憶手段が、車のエンジンキーを模した形状を有することを特徴とする。
請求項１１に係る体重計は、請求項１乃至請求項１０のいずれかに係る体重計において、上記計量手段及び上記表示手段が次の通りに動作するようになっていることを特徴とする。すなわち、上記計量手段は、乳幼児の体重の計量を所定回数行うとともに、計量による所定回数分の計量値を平均することにより平均計量値を算出する。上記表示手段は、算出された平均計量値を、体重の計量値として表示する。
請求項１２に係る、体重計を含んだ子供用遊具は、請求項１乃至請求項１１のいずれかに係る体重計における上記載せ台部を所定の移動空間内で移動させることを特徴とする。
【発明の効果】
【０００７】
本発明によれば、載せ台部が、乗り物を模した形状を有しているため、乳幼児は、従来のように、体重測定を嫌がって暴れたりすることがより少なくなり、この載せ台部上に大人しく載るようになる。つまり、これにより、体重の計量をより正確に行うことができるとともに、体重の測定時間が長くかかることを避けることができる。
【発明を実施するための最良の形態】
【０００８】
（最良の実施の形態）
以下、本発明を実施するための最良の実施の形態を、図面を参照しつつ説明する。
まず、本発明に係る体重計１の構成の概略を説明する。体重計１は、図１に示すように、載せ台部１１と、計量部２１と、乳幼児用表示部３１と、確認者用表示部３２とを備える。載せ台部１１は乳幼児等の子供が乗り又は載せられるようになっていて、体重計１は、この載せ台部１１の形状が自動車を模したもので、自動車の運転席に相当する載せ台部１１の部分にいる乳幼児の体重を計量することを１つの特徴としている。載せ台部１１と、基部４１との間には、この体重計１の上部から下部へと、支柱部５１ａ〜ｄ及び柱部５２が設けられている。これら基部４１、支柱部５１ａ〜ｄ及び柱部５２により載せ台部１１が支持される。
【０００９】
計量部２１は柱部５２中に設けられている。この計量部２１により、載せ台部１１上の乳幼児の体重が計量される。すなわち、計量部２１は、周知のように、例えば、４つの歪みゲージが異なる位置に接着されたロードセルからなるものとし、これら４つの歪みゲージによりなるホイートストンブリッジ回路における電圧の変化によって、載せ台部１１上の乳幼児の体重が計量できるようになっている。もちろん、この計量部２１は、圧電素子その他の電子式計量セルを用いたものであってもよい。
【００１０】
乳幼児用表示部３１及び確認者用表示部３２の２つの表示部は、計量部２１の計量による体重の計量値を表示する。乳幼児用表示部３１は、載せ台部１１に座る乳幼児の前方への視野に合わせて、その乳幼児に向けて体重の計量値等が表示されるように、自動車の前方内側に当たる載せ台部１１の部分に設けられている。ここでは、乳幼児用表示部３１が、同図１（ｃ）に示すようにハンドルに相当する部分の内側に設けられている。これに代えて、乳幼児用表示部３１が、自動車のフロントガラスの内側に当たる部分等の他の載せ台部１１の部分に設けられていてもよい。
【００１１】
確認者用表示部３２は、乳幼児の体重を確認して記録する確認者の外側からの視野に合わせて、その確認者に向けて体重の計量値等が表示されるように、自動車の前方外側に当たる載せ台部１１の部分に設けられている。ここにいう確認者は、医療機関、幼稚園、保育所等の関係者、又は、父母等の家族などである。ここでは、確認者用表示部３２が、同図１（ａ）に示すようにフロントガラスに当たる部分の表面に設けられている。これとは異なり、確認者用表示部３２が、自動車のバンパーに当たる部分、ドアにあたる部分等の他の載せ台部１１の部分に設けられていてもよい。
【００１２】
なお、この確認者用表示部３２の設けられる位置は、乳幼児用表示部３１の裏側となっている。そのため、確認者は、乳幼児の視野の範囲内に居ながらに、その体重を確認することができる。乳幼児は、体重測定中、確認者の存在に安心して、載せ台部１１の上に座っていることができる。
【００１３】
外観がこれらの構成の体重計１は、基部４１（また載せ台部１１等）の内部に制御部１００を有する。この制御部１００は、体重計１全体の動作を制御するものであり、図２に模式的に示す構成となっている。すなわち、制御部１００は、マイクロプロセッサ１０１、ＲＡＭ１０２、ＲＯＭ１０３、増幅器１０４、Ａ／Ｄ変換器１０５、表示制御部１０６、音声処理部１０７、内部ハードディスクドライブ１０８、識別データ読取部１０９、外部インタフェース１１０等からなる。
【００１４】
マイクロプロセッサ１０１は、本体重計１の起動後、次に図３に示す体重計量プログラムを内部ハードディスクドライブ（ＨＤＤ）１０８からＲＡＭ１０２上へと読み出し、この体重計量プログラムを実行するようになっている。内部ＨＤＤ１０８には、この体重計量プログラムに加えて、その実行に際して用いられる映像及び音声のデータ等が格納されている。ＲＯＭ１０３は、体重計１の基本機能を実現するためのプログラム等を格納している。
【００１５】
増幅器１０４は、計量部２１にて生成された体重の計量値を表す電圧信号を増幅し、また、Ａ／Ｄ変換器１０５は、この増幅されたアナログの電圧信号を、マイクロプロセッサ１０１での処理が可能となるように、デジタル信号へと変換するようになっている。
【００１６】
表示制御部１０６は、内部ＨＤＤ１０８に格納されている映像データを再生して、乳幼児用表示部３１及び確認者用表示部３２に出力するようになっている。また、音声処理部１０７は、内部ＨＤＤ１０８に格納されている音声データを再生して、スピーカ１１１へと出力するようになっている。
【００１７】
さらに、乳幼児識別キー１１２は、車のエンジンキーを模した形状を有しており、その磁気部分に、乳幼児個人を識別するための識別データ、例えば乳幼児の氏名、生年月日などのデータが記憶されている。識別データ読取部１０９は、この乳幼児識別キー１１２が挿入される挿入口を有するものである。識別データ読取部１０９は、磁気カードリーダとして働き、この挿入口に挿入される乳幼児識別キー１１２から識別データを読み取るようになっている。もちろん、この識別データを記憶する手段となっている乳幼児識別キー１１２は、キー形状でなく、通常用いられる磁気カードのようにカード状となっていてもよい。
【００１８】
外部インタフェース（Ｉ／Ｆ）１１０は、マイクロプロセッサ１０１が、外部に設置されるパーソナルコンピュータ（ＰＣ）又はプリンタとの間でデータを有線又は無線でやり取りするためのものである。乳幼児の体重の計量値をＰＣに出力する場合、ＰＣ側で作成されまた管理されている電子カルテに、出力された体重の計量値を取り込ませることが可能である。
【００１９】
加えて、操作部１１３が設けられており、この操作部１１３はテンキー、確定キー、カーソルキー、クリアキー、電源キーなどを有する。確認者等は、操作部１１３から、乳幼児がまとっている服の重さを入力するようになっている。ここで入力された服の重さが差し引かれて、乳幼児の体重の計量値が表示される。
【００２０】
マイクロプロセッサ１０１により実行される体重計量プログラムの概要を図３のフローチャートを用いて説明する。マイクロプロセッサ１０１は、この体重計量プログラムを体重計１の電源がオンされた直後から実行するようになっている。まず、所定の画面が確認者用表示部３２上に表示され、確認者等から着衣量の入力が受け付けられる（ステップ１、以下ステップをＳと略す）。この画面には、例えば、「着衣の重さは何グラムですか？」といった表示が伴われる。確認者等は、その表示に応じて、操作部１１３のテンキー、確定キー等を操作して着衣量を入力する。ここで入力された着衣量は、後に、乳幼児の体重の計量値から差し引かれるようになっている。
【００２１】
次に、自動的に０点設定が行われる（Ｓ２）。すなわち、計量部２１のロードセルが、経時変化して、無負荷の状態にもかかわらず計量値が０となっていないことがある。０点設定では、そのずれた計量値が０となるように設定される。その後、所定の画面、例えば「運転しよう。乗ってね。」といった表示を伴う画面が乳幼児用表示部３１（及び確認者用表示部３２）上に表示され、乳幼児の載せ台部１１への着座が促される（Ｓ３）。
【００２２】
そして、計量部２１から出力される計量値の大きさが所定値以上になったこと等により、乳幼児の着座が検出されたか否かが判定される（Ｓ４）。着座が検出されなければ（Ｓ４にてＮＯ）、処理はそのままＳ４にとどまり、また、着座が検出されれば（Ｓ４にてＹＥＳ）、乳幼児用表示部３１に、乳幼児識別キー１１２の挿入を促す画面が表示される（Ｓ５）。この画面中には、例えば、「さぁ、エンジンスタート。」といった表示が行われる。
【００２３】
続いて、乳幼児識別キー１１２が識別データ読取部１０９の挿入口へと挿入されたか否か判定される（Ｓ６）。乳幼児識別キー１１２の挿入が検出されなければ（Ｓ６にてＮＯ）、処理はそのままＳ６にとどまり、その挿入が検出されれば（Ｓ６にてＹＥＳ）、内部ＨＤＤ１０８に予め記憶されている所定の映像データ及び音声データの再生が開始される（Ｓ７）。
【００２４】
すなわち、記憶されている映像データが読み出されて、表示制御部１０６等により再生され、映像が乳幼児用表示部３１から出力される。また、記憶されている音声データが読み出されて、音声処理部１０７等により再生され、その音声がスピーカ１１１から出力される。ここで再生される映像及び音声は、乳幼児の関心を引くようなものである。例えば、映像に、路上の風景を移動していくようなものを用いたり、音声に、車のエンジン音を用いたりする。車の運転に関係の無い人気キャラクターのアニメーションの映像とそのテーマ音楽とを流したりしてもよい。また、長過ぎて乳幼児が飽きを生ぜず、短すぎて乳幼児が楽しめないといったことがないように、これら映像及び音声が所定の再生時間で終了するよう映像データ及び音声データが編集されている。
【００２５】
このような映像及び音声が再生されている間に、計量部２１では、乳幼児の体重の計量が行われる（Ｓ８）。計量部２１による計量結果である計量値は、ＲＡＭ１０２上に一時的に格納される。体重の計量が実行されていることを示す「計量中。」といった、確認者用表示部３２への表示が、この体重の計量の実行に伴われる。その後、計量が終了すると、映像及び音声の再生が停止される（Ｓ９）。
【００２６】
続いて、体重の計量値が乳幼児用表示部３１に表示される（Ｓ１０）。すなわち、具体的には図４（ａ）に示すようにして、乳幼児用表示部３１から乳幼児に向けて体重の計量値「１０．１ｋｇ」が表示される。また、この乳幼児用表示部３１による表示は、同図４（ｂ）に示すようなものであってもよい。つまり、ここでは、乳幼児用表示部３１は、車のデジタル速度計を模した表示を行っており、速度計で速度を表す目盛りを、体重を表す目盛りに見立てて用いている。この体重の目盛り上で、計量部２１の計量による体重の計量値が表示される。同図（ｂ）において、体重表示Ａ（図の斜線部で表された弧状部）は、体重の計量値がほぼ「１０．１ｋｇ」であることを示している。ここでは、図を簡略にするため、体重表示Ａは弧状につながったものとして表示しているが、実際には、体重表示Ａはこれを微小な角度毎に切断したドットから構成されている。体重の計量値に合わせてドットの数が設定され、そのドットの数に応じた長さの体重表示Ａが表示される。
【００２７】
続いて、体重の計量値が確認者用表示部３２に表示される（Ｓ１１）。例えば、図５（ａ）に示すようにして、確認者用表示部３２から確認者に向けて体重の計量値「１２．６ｋｇ｝が表示される。確認者は、この計量値を確認し、必要に応じて記録したりする。そして、この体重の計量値は、体重データとして、乳幼児の識別データ、体重測定を行った日時を表す日時データ等とともに内部ＨＤＤ１０８に格納される（Ｓ１２）。識別データは、乳幼児識別キー１１２から読み出されたものであり、日時データは、例えば「２００７年３月６日１３：４５」といった内容のものである。この日時データにつき、図２では図示を省略したが、本体重計１は計時部を有している。計時部が計時を行い、必要な際にこの日時データを読み出すことが可能なようになっている。
【００２８】
さらに、この内部ＨＤＤ１０８への識別データ、日時データ及び体重データ等の格納後に、体重計１にプリンタが接続されている場合には、図４（ａ）と同様の測定結果がプリントアウトされるものとし、また、ＰＣが接続されている場合、これら識別データ、日時データ及び体重データ等がＰＣへと出力されるものとしてよい。
【００２９】
これらの処理が終了すると、再度、この体重計量プログラムのＳ１からが実行されて、他の乳幼児が、次に体重を計量することが可能となる。
【００３０】
以上の体重計１によると、載せ台部１１が自動車を模した形状を有しているため、乳幼児は、従来のように、体重測定を嫌がって暴れたりすることがより少なくなり、この載せ台部１１上に大人しく載るようになる。つまり、これにより、体重の計量をより正確に行うことができるとともに、体重の測定時間が長くかかることを避けることができる。
【００３１】
さらに、映像及び音声が効果的に演出され、これにより、体重測定時に乳幼児に与える恐怖心が最小限に抑えられ、また、より迅速に体重測定が行われることになる。特に、体重計１は、お座りができるようになった生後６か月程度からの乳児が使用することが可能である。乳幼児は、成長を追い継続して、意欲的に楽しんで体重測定に臨むようになる。体重計１は、病院、保健センター、保育園、幼稚園などに設置することが望ましい。
【００３２】
（他の実施の形態等）
以上、具体的な実施の形態によって本発明を説明したが、本発明は、上記実施の形態に限定されず、本発明の要旨を逸脱しない範囲で変更して実施することができる。
（Ａ）例えば、載せ台部１１の形状は自動車を模したものとしたが、他の乗り物を模した形状であってもよい。その乗り物は、汽車、機関車、新幹線、電車、トラック、消防車、救急車、バス、建設作業車、飛行機、ヘリコプター、馬車などである。加えて、この乗り物には、キャラクター、動物、人形などを模した、通常は乗り物とされない造形物等が含まれるものとする。上記実施の形態と同様に、これらの乗り物の前方に、乳幼児用及び確認者用の２つの表示部が設けられることが望ましい。
【００３３】
（Ｂ）また、図５（ｂ）に示すように、確認者用表示部３２に、体重変化量を表示させてもよい。すなわち、体重計１では、乳幼児識別キー１１２から読み出された乳幼児の識別データ、乳幼児の成長過程で複数回に渡って計量された体重の計量値による過去の体重データ、及び、その計量の日時を示す日時データが関連付けられて内部ＨＤＤ１０８に記憶されている。前回の体重測定における体重データを用いれば、前回の計量時からの体重の変化量を表示させることができる。さらに、乳幼児の出生時に本体重計１にて体重を計量しておくことにより、出生時から現時点までの体重の変化量を表示させることができる。これらの体重の変化量の表示が行われる場合、その体重変化量の演算が、確認者用表示部３２にて表示が行われる前にマイクロプロセッサ１０１により行われるように、体重計量プログラムが構成される。
【００３４】
（Ｃ）計量部２１は、柱部５２の中央部付近に設けられるものとした（図１（ｂ））。これに代えて、計量部２１が支柱部５１ａ〜ｄ中に設けられるものとしてよい。この場合、各支柱５１ａ〜ｄ内に上述した電子式計量セルが設けられる。これら電子式計量セルにより得られた各計量値が制御部１００へと出力され、その各計量値の合計値が、乳幼児の体重の計量値として算出される。また、計量部２１を柱部２１の下端等に設けてもよい。
【００３５】
（Ｄ）乳幼児識別キー１１２については、磁気部分を有し、これが磁気カードリーダに読み取られることを想定した。これとは異なり、接触型又は非接触型のＩＣカード、専用の携帯機器等を用いるものであってよい。これらは、周知の技術であり、中波帯、短波帯、マイクロ波等の電磁波を利用するものが多い。例えば、特開２００６−３４０９５２号公報、特開２００４−２２７４６３号公報、特開平１１−３９４４２号公報、及び、特開平１０−１７９５２６号公報等に、それらの技術が開示されている。また、識別データをカード上にバーコードで表示し、これに赤外線を照射して読み取るようにしてもよい。識別データの読み出しに可視光通信等を用いることもできる。
【００３６】
（Ｅ）体重の計量値等は、内部ＨＤＤ１０８に格納されるものとした。これとは異なり、ＥＥＰＲＯＭなどの不揮発性メモリ等、他の記憶手段に格納されるようになっていてもよい。
【００３７】
（Ｆ）加えて、操作部１１３からは、確認者等が乳幼児の成長過程において複数回に渡り乳幼児の身長を入力するようになっていて、さらに内部ＨＤＤ１０８はこの身長データを乳幼児の識別データに関連付けて記憶することが可能なようになっていてもよい。この場合、図６のように、乳幼児の体重データ及び身長データを、発育曲線とともに確認者用表示部３２に表示し、またこれらの体重データ及び身長データと発育曲線とをプリンタにプリントアウトさせることが可能である。発育曲線の帯Ｈは、身長について標準的な発育の範囲を示しており、また、発育曲線の帯Ｗは、体重につき標準的な発育の範囲を示している。曲線ｈは、身長データ、日時データ等に基づくもので身長についての乳幼児の成長を表し、また、曲線ｗは、体重データ、日時データ等に基づくもので体重についての乳幼児の成長を表している。
【００３８】
ここで用いられる発育曲線につき説明する。まず、出生後から７歳未満までの多数の乳幼児を対象として体重データ及び身長データを採取する。そして、この採取された体重データ及び身長データをもとに、出生後から７歳未満までの期間の体重及び身長につき、例えば各月年齢における１０〜９０パーセンタイル値を標準的な成長範囲として求める。この標準的な成長範囲を示すデータを基準成長範囲データという。発育曲線の各帯Ｈ，Ｗはこの基準成長範囲データをグラフ化したものである。例えば、特許第３８７４２４３号は、発育曲線及び基準成長範囲データにつき、より詳細を開示するものである。必要であればこの特許文献等を参照されたい。
【００３９】
（Ｇ）また、操作部１１３から、載せ台部１１に載せられる計量対象が乳児及び幼児のいずれであるか示す対象データを確認者等が入力するようになっていてよい。そして、この対象データに基づいて、速度計を模した表示を行う乳幼児用表示部３１（図４（ｂ））にて用いられる目盛りに付す数値の大きさを設定するようにする。
【００４０】
例えば、計量対象が幼児である場合、その用いられる目盛りについて、この目盛りの１目盛り分に相当する体重の大きさを、計量対象が乳児である場合よりも大きく設定する。より具体的に、同図４（ｂ）では、乳児の場合、目盛りに付された体重（単位：ｋｇ）を表す数値が、０，５，１０，１５，２０と表示されている。これに対し、幼児の場合には、この数値が０，１０，２０，３０，４０へと切り替えられるように設定される。このような切り替え表示を行うとき、これらの設定が、確認者用表示部３２にて表示が行われる前にマイクロプロセッサ１０１により行われるように、体重計量プログラムが構成される。
【００４１】
（Ｈ）計量部２１においては、体重を電気信号に変換し、この信号に基づいて幼児用表示部３１等が体重の計量値を表示している。これに代えて、体重計１は、体重の計量に機械的構造を用いるものであってもよい。すなわち、計量部２１にばねを用いることとし、また、速度計を模した乳幼児用表示部３１に、体重の計量値を指示する指示針を用いる。ここでは、計量部２１のばねの伸縮に応じて、乳幼児用表示部３１の指示針が回転するような構造とする。
【００４２】
このような機械的構造を採らず、指示針は、体重の計量値を表すアナログの電気信号に基づいて、目盛り上でその計量値を指示するようになっていてもよい。この場合、制御部１００から幼児用表示部３１へと、体重の計量値を表す電気信号が出力される。
【００４３】
（Ｉ）乳幼児の体重の計量は、１度だけ行っている。これに対して、体重の計量を、例えば、初期、中期及び終期といったように、所定回数行うことが可能である。この場合、制御部１００側で、その所定回数分の計量値を平均することにより平均計量値を算出し、この平均計量値を、乳幼児の体重の計量値として、乳児用表示部３１及び確認者用表示部３２に表示させるようにしてよい。
【００４４】
（Ｊ）載せ台部１１は移動させないことを想定した。これとは異なり、載せ台部１１を所定の移動空間内で揺動その他の平行移動又は回転等させてもよい。すなわち、百貨店の屋上、ゲームセンター等には、従来から子供用遊具が設置されている。例えば、特開平７−９８７８２号公報、特開平７−２６５５５０号公報には、そのような子供用遊具が開示されている。上述した体重計を、従来から周知の子供用遊具の一部として含むように構成することにより、この子供用遊具は本発明に係るものとなる。
【００４５】
つまり、この子供用遊具においては、乳幼児等の子供が遊んでいる間に気付かれないように、載せ台部１１の静止時等にその体重計が計量されるようになっている。そのため、この子供用遊具によると、子供は体重測定を嫌がったり不安に思ったりすることがほぼなくなるはずである。
【００４６】
（Ｋ）映像及び音声を再生する期間は、乳幼児が載せ台部１１へと載せられることにより、計量部２１の計量による計量値が所定値以上になったことが検出され、続いて、乳幼児識別キー１１２が挿入された直後から、体重の計量値が表示される直前までの期間とした。映像及び音声の再生期間は、この期間を少なくとも含んだ所定の期間としてよく、例えば、体重計１は、乳幼児が載せ台部１１へと載せられる前から、また体重の計量値が表示されて所要の時間が経過するまで、映像及び音声を再生することができる。つまり、映像及び音声の再生期間には、乳幼児の興味を引くために有効な期間が設定される。
【図面の簡単な説明】
【００４７】
【図１】本発明に係る体重計１の外観を示す図である。
【図２】体重計１の制御部１００の構成を模式的に示すブロック図である。
【図３】体重計量プログラムの処理の流れを示すフローチャートである。
【図４】幼児用表示部３１における体重の計量値の表示例を示す図である。
【図５】確認者用表示部３２における体重の計量値の表示例を示す図である。
【図６】確認者用表示部３２に表示される発育曲線を説明するための図である。
【符号の説明】
【００４８】
１…………体重計
１１………載せ台部
２１………計量部（計量手段）
３１………乳幼児用表示部（乳幼児用表示手段）
３２………確認者用表示部（確認者用表示手段）
１００……制御部
１０１……マイクロプロセッサ
１０６……表示制御部
１０７……音声処理部
１０８……内部ハードディスク
１０９……識別データ読取部（識別データ読取手段）
１１１……スピーカ
１１２……乳幼児識別キー（識別データ記憶手段）
１１３……操作部（計量対象入力手段、身長入力手段）
【図１】
2008232777.tif 000003
【図２】
2008232777.tif 000004
【図３】
2008232777.tif 000005
【図４】
2008232777.tif 000006
【図５】
2008232777.tif 000007
【図６】
2008232777.tif 000008